(57)【要約】      （修正有）【課題】従来の身装品アレンジによる造花は下着しか対象にならないので、ネッカチーフやハンカチ、ストッキングなど、小さな身装品ならなんでも組み合わせられる造花を提供する。【解決手段】針金を芯材とする茎３に葉を付けて成る上部に、薔薇のように複数の花びら４，４を設けた造花とし、その花びら４の中央空隙部５の底に、前記する芯材を延長させた保持ピンを設けて成る前記空隙部５内に、女性の下着もしくはネッカチーフ等を小さく巻き込んで輪ゴム７掛けした身装品８を、前記する空隙部５内の底に設けた保ピン６に係止するように納めた身装品組み合わせ造花１とする。【選択図】図１
0003133371.tif 000002
【実用新案登録請求の範囲】
【請求項１】
身体に付ける身装品を組み合わせた造花あって、茎と葉を有する造花の花びら中央部に空隙部を設け、その空隙部内に、小さくした身装品を簡易に着脱自在に装着係止して納めて成る構成を特徴とする身装品組み合わせ造花。
【請求項２】
上記する空隙部内の底に、保持ピンを設けて成る請求項１に記載する身装品組み合わせ造花。
【請求項３】
上記する空隙部内に、保持かごを設けて成る請求項１に記載する身装品組み合わせ造花。
【請求項４】
上記する茎の根元部位に、電池と光ファイバーを備えた発光発音具を取り付けて成る請求項１に記載する身装品組み合わせ造花。
【請求項５】
上記する身装品に花の香りを付けて成る請求項１から請求項４のいずれかに記載する身装品組み合わせ造花。
【考案の詳細な説明】
【技術分野】
【０００１】  本考案は、小物身装品である女性用の下着やハンカチ、ネッカチーフ、ストッキングなどの比較的小さな布製品を丸めたり、折りたたんだ品物を造花に体裁よく組み合わせて、あたかも花の一部のように形成した贈り物用の造花に関する。
【背景技術】
【０００２】  従来より、造花は生花の代用として提供され、とりわけ最近の造花は見た目はもとより、触れた感触も本物と見分けできないほどきれいで質の高い造花が提供されている。【０００３】  また、女性用下着を花の形に折り込んで装飾をほどこした造花を形成し、それを花籠や箱詰めにして贈り物にする造花もあった。（例えば、特許文献１参照）
【特許文献１】公開実用新案平４−７３９２７公報
【考案の開示】
【考案が解決しようとする課題】
【０００４】  上記するような美しい造花が提供されているが、それでも造花は生花と違い、贈答用には使えないものであった。【０００５】  さらに、公開実用新案平４−７３９２７による技術は、女性用の下着を折りたたんで成る贈り物用にする造花であるが、下着以外の、例えば、ハンカチ、ネッカチーフ、ストッキングなどは構成的に無理であるなど、使用範囲は限られていた。
【課題を解決するための手段】
【０００６】  本考案は上記のような不便や欠点を解消するために、請求項１においては、茎と葉を有する造花の花びら中央部に空隙部を設け、その空隙部内に、小さく巻き込んだ身装品を納めることで、身装品を造花の一部のように組み込んだお洒落で趣のある贈り物として使える造花とする。【０００７】  請求項２においては、上記する空隙部内の底に保持ピンを設けることで、身装品を係止して脱落しにくくする。【０００８】  請求項３においては、上記する空隙部内に、弾性素材による保持かごを設けることで、身装品を容易にして確実に保持できるものとする。【０００９】  請求項４においては、上記する茎の根元部位に、電池と光ファイバーを備えた発光発音具を取り付けることで、造花のユニークさとともに光ファイバーの点滅発光を楽しめるものとする。【００１０】  請求項５においては、上記する身装品に花の香りを付けることで、造花を引き立たせ，且つ、贈り物としての趣をさらに高められる造花とする。
【考案の効果】
【００１１】  本考案における造花は、茎や葉、花びらを備えた普通の造花であるが、その花びらの中央部に空隙部を設け、その空隙部内に、女性の下着やハンカチ、ネッカチーフ、ストッキング等の身装品を小さく巻き込んでから納めると、身装品があたかも花びらの雌しべ風もしくは花びらの一部のように組み合わされた造花を形成するので、贈り物としてユニークにしてオリジナルティな造花を提供できる。【００１２】  さらに、造花の中央部に形成した空隙部に身装品を納める仕組みであるので、贈る相手や好みに応じて下着以外のハンカチ、ネッカチーフ、ストッキングなど多様な好みに応じて組み合わせできる。加えて、取り外した身装品は使えることはもとより、造花も傷むことがないので本来の装飾用の花として使える。
【考案を実施するための最良の形態】
【００１３】  本考案による身装品組み合わせ造花の第１の実施形態を図１に示す分解斜視図と図２に示す断面図で説明する。
第１の実施形態による身装品組み合わせ造花１は、通常の造花のように、針金を芯材２とする茎３に葉を付けて成る上端に、薔薇のようにな複数の花びら４，４を設け、その花びら４中央の空隙部５の底に、前記する芯材２を一定長に突き出して成る保持ピン６を設け、その保持ピン６を備えた空隙部５内に、薄くて小さい、例えば、女性の下着もしくはネッカチーフ、ストッキング等（以下、身装品と称す）を小さく巻き込んだ周囲に輪ゴム７を掛けて成る身装品８を、前記する花びら４の空隙部５内の底に突き出している保持ピン６に差し込むように納めて成る身装品組み合わせ造花１を構成する。【００１４】  第１の実施形態に示す身装品組み合わせ造花１は、複数の花びら４、４の中央に適度な空隙部５を作り、その空隙部５内に女性の下着もしくはネッカチーフ、ストッキングなどのような薄地で形成される身装品８を小さく巻き込み、それを前記した花びら４の空隙部５内の保持ピン６に係止するので、装身品８は脱落しないで保持できるため、造花に組み合わされた身装品８はあたかも花びら様に一体に美しく組み合わされる。他方、これを贈り物として受け取った女性は、その花びら４の中央部から身装品８を引き出して後に輪ゴム７を取り外すと、通常の身装品８として使え、造花は飾りとして使える。尚、保持ピン６は直状であるが、ピンの先端を曲げてフック状でもよいし、先端に突起を設けても構わないものである。【００１５】  次に、身装品組み合わせ造花の第２の実施形態を、図４の断面図と図５に示す造花に設けられる保持かごの斜視図で説明する。
第２の実施形態による身装品組み合わせ造花１は、花びら４の中央部が比較的広い空隙部５を有するチューリップのような花を対象とする。この造花の場合は、芯材２を入れた茎３端部に、比較的少ない複数枚の花びら４，４を取り付けて成る大きな空隙部５内に、合成樹脂材による基部９に弾性を有する複数本の保持棒１０でチューリップ状に形成した保持かご１１を形成し、その保持かご１１の基部９を、前記した花びら４，４の空隙部５内の底に取り付け、その保持かご１１内に小さく巻き込んだ身装品８を納めて成る身装品組み合わせ造花１を構成する。【００１６】  尚、このタイプは、身装品８を小さく巻き込んだものを差し込むだけで保持するが、必要なら身装品８に輪ゴム７（図示せず）を掛けてもよい。また、保持かご１１は複数本の保持棒１０で形成されているが、上部が開口した容器状でも構わない。【００１７】  第２の実施形態による身装品組み合わせ造花１は、花びら４の大きな空隙部５内に弾性素材による保持かご１１を備え、その保持かご１１内に小さく丸めた身装品８を納めると、保持棒１０，１０がつまむように挟むので脱落しない上、引き出す時は容易に取り出せる。【００１８】  さらに、装身品組み合わせ造花の第３の実施形態を図６に示す一部欠損斜視図で説明する。
第３の実施形態においては、前記する造花の茎３の下部位に、電池１２を有して点滅発光する複数本の光ファイバー１３を向きにした発光発音具１４を取り付けた構成である。尚、図示しないメロディ発生器なども組み合わせてもよい。【００１９】  本実施形態においては、造花の茎３の根元部位に点滅発光する光ファイバー１３を備えているので、さらに造花を引き立てて贈答用にふさわしい雰囲気と華やかさを演出できる造花を形成する。さらにメロディ発生器など組み合わせると一層楽しくユニークなものとなる。【００２０】  本考案による造花は薔薇やチューリップを対象としているが、中央に空隙部５を形成する造花ならいずれの造花でも差し使えない。また、造花に組み合わせる身装品８は花びら４と同じ色であるが、違う色でも自由である。加えて、身装品８は無臭であるが、組み合わせる造花に合う香りを付けてもよい。さらに女性関連の身装品８であるが小さいものなら何でもでもよく、例えば、ネクタイや靴下など男性用品でもよく、いずれも特に限定されるものではない。
【図面の簡単な説明】
【００２１】
【図１】本考案の身装品組み合わせ造花の第１の実施形態を示す分解斜視図である。
【図２】第１の実施形態の花びら部を示す拡大断面図である。
【図３】第２の実施形態を示す花びら部の断面図である。
【図４】第２の実施形態の花びらの空隙部内に設けられる保持かごを示す斜視図である。
【図５】第３の実施形態を示す一部を欠いた斜視図である。
【符号の説明】
【００２２】  １  身装品組み合わせ造花
２  芯材
３  茎
４  花びら
５  空隙部
６  保持ピン
７  輪ゴム
８  身装品
９  基部
１０  保持棒
１１  保持かご
１２  電池
１３  光ファイバー
１４  発光発音具
【図１】
0003133371.tif 000003
【図２】
0003133371.tif 000004
【図３】
0003133371.tif 000005
【図４】
0003133371.tif 000006
【図５】
0003133371.tif 000007